(57)【要約】【課題】多用な配光調整を可能にしたＬＥＤ照明装置を提供する。【解決手段】照射方向前部に光源支持部１０Ｆを設けたフレーム１０Ｃに、照射対象となるナンバープレート２の幅方向に対応して配置された複数のＬＥＤ１１，１１，…からなる照明部１０Ａと、この照明部１０ＡのＬＥＤ１１，１１，…をナンバープレート２の幅方向に傾けて、照明を上記幅方向に拡散させる配光調整部１０Ｂとを具備する。【選択図】    図１
2010086761.tif 000002
【特許請求の範囲】
【請求項１】
通行車両のナンバープレートを照射するＬＥＤ照明装置であって、
前記ナンバープレートの幅方向に対応して配置された複数のＬＥＤ光源からなる照明部と、
前記ＬＥＤ光源を前記ナンバープレートの幅方向に傾けて照明を拡散させる配光調整機構と、
を具備したことを特徴とするＬＥＤ照明装置。
【請求項２】
前記照明部は、前記ナンバープレートの高さ方向に対応して、複数のＬＥＤ光源を配置し、ＬＥＤ光源をマトリクス配置したナンバープレート照明部を構成していることを特徴とする請求項１に記載のＬＥＤ照明装置。
【請求項３】
通行車両のナンバープレートを照射するＬＥＤ照明装置であって、
前記ナンバープレートの幅方向に対応して複数のＬＥＤ光源を配置した照明部と、
前記照明部を前記幅方向の両端を支持点に前記照射方向に膨出させ、その膨出度合を調整して、前記ＬＥＤ光源の照明を前記幅方向に拡散させる配光調整機構と、
を具備したことを特徴とするＬＥＤ照明装置。
【請求項４】
前記照明部は、前面に前記ナンバープレートの高さ方向に対応して複数のＬＥＤ光源を配置し、ＬＥＤ光源をマトリクス配置しているとともに、前記ナンバープレートの幅方向に対応して複数の関節部を有し、
前記配光調整機構は、前記照明部の後面を前後方向に進退して、前記関節部を可動点に、前記照明部の前記膨出度合を調整する調整手段を具備したことを特徴とする請求項３に記載のＬＥＤ照明装置。
【発明の詳細な説明】
【技術分野】
【０００１】
本発明は、例えば通行車両のナンバープレート読取装置に適用して好適な、複数のＬＥＤを配置したＬＥＤ照明装置に関する。
【背景技術】
【０００２】
従来、通行車両のナンバープレートを照射する照明装置には、光源にハロゲンランプが適用されていた。近年、光量の大きい高寿命の照明用ＬＥＤが開発され、これに伴いＬＥＤを多数配置したＬＥＤ照明装置が適用されるに至った。このＬＥＤ光源は直進性が強く、配光バランスの調整が難しいという問題があった。
【０００３】
この種、ナンバープレートの照明装置として、従来では、光波長を特定したＬＥＤ光源によりナンバープレート情報を読み取るナンバープレート読取装置、または、カメラとハロゲンランプを一体にしたユニットを駐車場のゲートバーに、バーの長さ方向に移動可能に取り付けたナンバープレート読取装置が存在した。
【特許文献１】特開２００１−２０９８８５号公報
【特許文献２】特開平０８−０９６２９１号公報
【発明の開示】
【発明が解決しようとする課題】
【０００４】
上述したように、ナンバープレートの照明装置に適用される、複数のＬＥＤを配置したＬＥＤ照明装置においては、配光バランスの調整が難しいという問題があった。
【０００５】
本発明は、上記問題を解消し、多用な配光調整を可能にしたＬＥＤ照明装置を提供することを目的とする。
【課題を解決するための手段】
【０００６】
本発明は、通行車両のナンバープレートを照射するＬＥＤ照明装置であって、前記ナンバープレートの幅方向に対応して配置された複数のＬＥＤ光源からなる照明部と、前記ＬＥＤ光源を前記ナンバープレートの幅方向に傾けて照明を拡散させる配光調整機構とを具備したことを特徴とする。
【０００７】
また、本発明は、通行車両のナンバープレートを照射するＬＥＤ照明装置であって、前記ナンバープレートの幅方向に対応して複数のＬＥＤ光源を配置した照明部と、前記照明部を前記幅方向の両端を支持点に前記照射方向に膨出させ、その膨出度合を調整して、前記ＬＥＤ光源の照明を前記幅方向に拡散させる配光調整機構とを具備したことを特徴とする。
【発明の効果】
【０００８】
本発明によれば、多用な配光調整を可能にしたＬＥＤ照明装置が提供できる。
【発明を実施するための最良の形態】
【０００９】
以下図面を参照して本発明の実施形態を説明する。
【００１０】
本発明の第１実施形態に係るＬＥＤ照明装置の構成を図１および図２に示す。
【００１１】
図１および図２に示す、本発明の第１実施形態に係るＬＥＤ照明装置１０は、例えば、通行車両１のナンバープレート２を撮影する監視カメラ３とともに、有料道路の料金所（ＴＧ）における車両通行ゲートの路肩（Ｐ）に設置される。
【００１２】
このＬＥＤ照明装置１０は、照射方向前部に光源支持部１０Ｆを設けたフレーム１０Ｃに、照射対象となるナンバープレート２の幅方向に対応して配置された複数のＬＥＤ（照明用ＬＥＤ光源）１１，１１，…からなる照明部１０Ａと、この照明部１０ＡのＬＥＤ１１，１１，…をナンバープレート２の幅方向に傾けて、照明を上記幅方向に拡散させる配光調整部１０Ｂとを具備して構成される。
【００１３】
照明部１０Ａは、ナンバープレート２の高さ方向に対応して、複数のＬＥＤ１１，１１，…を配置し、ＬＥＤ光源をマトリクス配置したナンバープレート照明部を構成している。図２（ａ），（ｂ）は、横方向に７個、縦方向に６個のＬＥＤ１１，１１，…をマトリクス配置したナンバープレート照明部１０Ａの構成を例示している。このナンバープレート照明部１０Ａを構成するＬＥＤ１１，１１，…は、図２（ｂ）に示すように、縦方向に配置した６個のＬＥＤ１１，１１，…を１ブロックとして、各ブロック（７ブロック）がそれぞれ横方向（ナンバープレート２の幅方向に対応する方向）に配置され、各ブロック毎にそれぞれ配光調整部１０Ｂを介してフレーム１０Ｃの光源支持部１０Ｆに固定支持されている。
【００１４】
配光調整部１０Ｂは、ナンバープレート２の幅方向に対応する方向に配置されたＬＥＤ１１，１１，…をそれぞれ調整可能に固定支持する。
【００１５】
配光調整部１０Ｂは、ナンバープレート照明部１０Ａを構成する各ＬＥＤ１１，１１，…をブロックを単位に個別に支持する複数の照射方向調整フレーム１２，１２，…と、この各照射方向調整フレーム１２，１２，…を、ナンバープレート２の幅方向に対応する方向に、所定の角度範囲（θａ＋θｂ）内で調整可能にフレーム１０Ｃの光源支持部１０Ｆに支持し固定する調整用固定部１３とを具備して構成される。ここでは、照射方向調整フレーム１２を角度調整後、フレーム１０Ｃの光源支持部１０Ｆに締め付け固定する締付ねじにより調整用固定部１３を構成している。
【００１６】
上記照射方向調整フレーム１２，１２，…に設けられたＬＥＤ１１，１１，…は、直進性をもつビーム（ｂｍ）に対し、ナンバープレート２の幅方向に対応する方向に、一定の角度（θａ＋θｂ）範囲内で照射方向を調整可能にフレーム１０Ｃの光源支持部１０Ｆに支持され、調整後、締付ねじ１３によりフレーム１０Ｃに固定される。
【００１７】
上記構成のＬＥＤ照明装置１０によれば、ナンバープレート２の幅方向に対応する方向に配置されたＬＥＤ１１，１１，…のビーム（ｂｍ）照射方向を、それぞれ上記幅方向に対し個別に角度調整できることから、配光バランスの調整を容易に可能にした、多用な配光調整を可能にし、これによって、車両通行ゲートの路肩（Ｐ）から、路上を通行する車両１のナンバープレート２を照明する際に、ナンバープレート２に対して照明斑のない均等な照明を確保することができる。
【００１８】
本発明の第２実施形態に係るＬＥＤ照明装置の構成を図３および図４に示す。ＬＥＤ光源の照明をナンバープレート２の幅方向に拡散させた一状態例を図３に示し、上記拡散調整前の状態を図４に示している。
【００１９】
図３および図４に示す、本発明の第２実施形態に係るＬＥＤ照明装置２０は、例えば上記第１実施形態と同様に、第１に示すように、通行車両１のナンバープレート２を撮影する監視カメラ３とともに、有料道路の料金所（ＴＧ）における車両通行ゲートの路肩（Ｐ）に設置される。
【００２０】
このＬＥＤ照明装置２０は、ナンバープレート２の幅方向に対応して複数のＬＥＤ２１，２１，…を配置した照明部２０Ａと、この照明部２０Ａを上記幅方向の両端を支持点に上記照射方向に膨出させて膨出度合を調整し、上記ＬＥＤ２１，２１，…の照明を上記幅方向に拡散させる配光調整部２０Ｂとを具備して構成される。
【００２１】
照明部２０Ａは、一方面に上記ナンバープレート２の高さ方向に対応して複数のＬＥＤ２１，２１，…を配置し、ＬＥＤ光源をマトリクス配置しているとともに、上記ナンバープレート２の幅方向に対応して複数の関節部２ｊ，２ｊ，…を有するＬＥＤ支持部２０Ｌと、このＬＥＤ支持部２０Ｌに接して、同ＬＥＤ支持部２０Ｌに、後述する押圧調整手段の押圧力を伝達する弾発性を有する膨出調整部２０Ｇと、ＬＥＤ支持部２０Ｌおよび膨出調整部２０Ｇを膨出可能にフレーム２０Ｃに支持する張設部２Ｓとを具備して構成される。
【００２２】
配光調整部２０Ｂは、上記照明部２０Ａの他方面の一部を進退可能に押圧して、上記照明部２０Ａを上記関節部２ｊ，２ｊ，…を折曲点に膨出させる押圧調整手段（２３〜２７）を具備して構成される。押圧調整手段は、支持部２３と、押圧調整軸２４と、押当板２５と、軸支部２６と、膨出調整操作部２７とを具備する。
【００２３】
支持部２３は、フレーム２０Ｃに一体に設けられ、フレーム２０Ｃに張設されたＬＥＤ支持部２０Ｌおよび膨出調整部２０Ｇに対して、押圧調整軸２４を図示矢印ａ方向に進退自在に、かつ図示矢印ｂ方向にスライド可能に任意の調整位置に固定支持する。押圧調整軸２４は、軸支部２６に螺合され、押当板２５を一端（前端）に支持し、膨出調整操作部２７を他端（後端）に有して、膨出調整操作部２７の回転操作に伴い押当板２５を膨出調整部２０Ｇの他方面の一部に押し当てる。押当板２５は、押圧調整軸２４の前端に支持され、膨出調整操作部２７の回転操作で押圧調整軸２４が照明方向へ突出することにより押圧力を受けて膨出調整部２０Ｇの他方面を押圧し、ＬＥＤ支持部２０Ｌおよび膨出調整部２０ＧをＬＥＤ２１，２１，…の照射方向に膨出させる。軸支部２６は、支持部２３に対してスライド可能に、支持部２３に支持され、押圧調整軸２４と螺合して、押圧調整軸２４を軸支する。膨出調整操作部２７は、照明部２０Ａの照明拡散調整作業において調整作業者により回転操作されるもので、軸支部２６を回転操作することで、ＬＥＤ支持部２０Ｌおよび膨出調整部２０Ｇを図４に示す扁平状態から図３に示す膨出状態に偏向させる。
【００２４】
ＬＥＤ支持部２０Ｌおよび膨出調整部２０Ｇが照明方向に膨出されていない状態、すなわちＬＥＤ支持部２０Ｌおよび膨出調整部２０Ｇが配光調整部２０Ｂにより押圧偏向されていない状態を図４に示している。この状態で、照明部２０Ａの照明方向を拡散調整する際は、軸支部２６に軸支された押圧調整軸２４を矢印ｂ方向の任意のスライド位置に設定した後、膨出調整操作部２７を回転操作して押圧調整軸２４を軸支部２６から照明方向に突出させる。この膨出調整操作部２７の回転操作で押圧調整軸２４を軸支部２６から照明方向に突出させることにより、押圧調整軸２４の前端に支持された押当板２５が弾発性を有する膨出調整部２０Ｇの接合面を押圧し、膨出調整部２０Ｇに接して設けられたＬＥＤ支持部２０Ｌを、関節部２ｊ，２ｊ，…を折曲点に照明方向に膨出させる。
【００２５】
このようにしてＬＥＤ支持部２０Ｌを照明方向へ膨出させることで、配光バランスの調整を容易に可能にした多用な配光調整が可能となり、車両通行ゲートの路肩（Ｐ）から、路上を通行する車両１のナンバープレート２を照明する際に、ナンバープレート２に対して照明斑のない均等な照明を行うことができる。
【００２６】
なお、上記した各実施形態において、照明部１０Ａ，２０Ａ、配光調整部１０Ｂ，２０Ｂを含む、各部の構成要素は、本発明の要旨を逸脱しない範囲で種々変形または変更可能である。
【図面の簡単な説明】
【００２７】
【図１】本発明の第１実施形態に係るＬＥＤ照明装置の構成を示す図。
【図２】上記第１実施形態に係るＬＥＤ照明装置の一部を拡大して示す図。
【図３】本発明の第２実施形態に係るＬＥＤ照明装置の構成（配光調整後の状態）を示す図。
【図４】上記第２実施形態に係るＬＥＤ照明装置の構成（配光調整前の状態）を示す図。
【符号の説明】
【００２８】
１…通行車両、２…ナンバープレート、３…監視カメラ、１０，２０…ＬＥＤ照明装置、１０Ａ，２０Ａ…照明部、１０Ｂ，２０Ｂ…配光調整部、１０Ｃ，２０Ｃ…フレーム、１０Ｆ…光源支持部、１１，２１…ＬＥＤ（照明用ＬＥＤ光源）、１２…照射方向調整フレーム、１３…調整用固定部、２ｊ，２ｊ，…関節部、２０Ｌ…ＬＥＤ支持部、２０Ｇ…膨出調整部、２Ｓ…張設部、２３…支持部、２４…押圧調整軸、２５…押当板、２６…軸支部、２７…膨出調整操作部。
【図１】
2010086761.tif 000003
【図２】
2010086761.tif 000004
【図３】
2010086761.tif 000005
【図４】
2010086761.tif 000006